(57)【要約】【課題】より確実にバスバーを電流センサに固定することができて、測定誤差を抑制することが可能な電流センサを提供する。【解決手段】少なくとも磁気センサ１５を収納した筐体１１Ａと、バスバー１３Ａを備える電流センサであって、筐体は、バスバーが挿入された貫通穴１２Ａを有し、貫通穴は、磁気センサの非感磁方向に沿って筐体を貫通し、貫通方向の両端にそれぞれ開口部１２ａ，１２ｂを有し、バスバーは、長手方向の両端部１３ａ，１３ｂが貫通穴の外に露出して設けられ、バスバーは筐体から取り外し可能であり、バスバーに対する平面視で、バスバーの幅の範囲内に磁気センサが配置され、貫通穴は、開口部２つの幅が互いに異なり、バスバーは、貫通穴の内部に挿入された部分において、幅が開口部２つの小さい方の幅よりも大きい部分を有し、少なくとも貫通穴の開口部両方における幅と、開口部両方に対応するバスバーの幅とは同一である。【選択図】図４
2016148621.tif 000002
【特許請求の範囲】
【請求項１】
少なくとも磁気センサを収納した筐体と、バスバーを備える電流センサであって、
前記筐体は、前記バスバーが挿入された貫通穴を有し、前記貫通穴は、前記磁気センサの非感磁方向に沿って前記筐体を貫通し、貫通方向の両端にそれぞれ開口部を有し、
前記バスバーは、その長手方向に沿って前記貫通穴に挿入されて、前記長手方向の両端部が前記貫通穴の外に露出して設けられ、前記バスバーは前記筐体から取り外し可能であり、
前記貫通穴に挿入された前記バスバーに対する平面視で、前記バスバーは、前記長手方向の両端部の間に、第１の側部及び第２の側部を有し、前記バスバーの前記第１の側部から前記第２の側部までの区間に対応する幅の範囲内に、前記磁気センサが配置され、
前記平面視において、前記貫通穴は、前記開口部２つの幅が互いに異なり、前記バスバーは、前記貫通穴の内部に挿入された部分において、前記第１の側部から前記第２の側部までの区間に対応する幅が、前記開口部２つの小さい方の幅よりも大きい部分を有し、少なくとも前記貫通穴の前記開口部両方における幅と、前記開口部両方に対応する前記バスバーの幅とは同一であることを特徴とする電流センサ。
【請求項２】
前記平面視において、前記貫通穴の幅及び前記バスバーの幅は、少なくとも前記磁気センサを含む区間において一定であることを特徴とする請求項１に記載の電流センサ。
【請求項３】
前記貫通穴に挿入された前記バスバーは、前記平面視において前記磁気センサの中心を通り前記非感磁方向に沿う直線に対して、対称な形状を有することを特徴とする請求項１又は２に記載の電流センサ。
【発明の詳細な説明】
【技術分野】
【０００１】
本発明は、バスバーに流れる電流を測定する電流センサに関する。
【背景技術】
【０００２】
リング状の磁性体コア（リングコア）とリングコアのギャップ内に配置したホールセンサから構成される電流センサが広く使われている。このような電流センサは、電流が流れる際に発生する磁界をリングコアに集め、ホールセンサで磁界を検出することにより、電流を測定することができる。電流が流れる測定対象物（バスバー、ケーブル等）の周囲をリングコアが取り囲んでいるため、測定対象物がリングコアに対して変位しても、アンペールの法則によりホールセンサが検出する磁界の変動は小さく、結果として電流測定結果への影響は小さい。
【０００３】
しかし、上記の電流センサでは、リングコアが大きいために小型化が困難であるという問題があった。
【０００４】
従来のリングコアの課題に対し、最近では、リングコアを廃することにより小型化と高精度を実現したコアレス型電流センサが提案されている。コアレス型電流センサ（例えば特許文献１〜４を参照）は、外部からの磁気ノイズを遮蔽するための磁気シールド板と、磁気センサとバスバーとが一体化された構造を有し、バスバーから発生した磁界を磁気センサで検出して電流を測定する。
【先行技術文献】
【特許文献】
【０００５】
【特許文献１】国際公開第２０１３／１７６２７１号
【特許文献２】特開２０１４−２５７１８号公報
【特許文献３】特許第５１７３７６８号公報
【特許文献４】特開２０１３−１７１０１３号公報
【発明の概要】
【発明が解決しようとする課題】
【０００６】
コアレス型電流センサは、バスバーから発生した磁界を集めるリングコアを有しないため、各部材の位置がずれると磁気センサに印加される磁界が変動し、電流測定結果に誤差が生じる。したがって、バスバーを含めた各部材を一体化して相互に固定された状態にする必要がある。バスバーが電流センサに一体化されているため、電流センサを使用する際には、電流センサを設置する部分のバスバーを切り離し、その前後のバスバーを電流センサのバスバーと接続する工程がある。バスバーの接続箇所が増えるため、組み立ての手間が増えるだけでなく、バスバー接続部の接触抵抗によって発熱しやすい問題がある。
【０００７】
バスバー接続部に発熱があると、発熱が周囲に与える影響があるだけでなく、電流センサの温度上昇により測定精度が低下する問題がある。このように、従来のコアレス型電流センサでは、バスバーが電流センサに一体化されていることにより種々の問題があるため、バスバーが別体で、電流センサを使用する際にバスバーを差し込んで使用できるコアレス型電流センサが望まれる。
【０００８】
電流センサにバスバーを挿入するために貫通穴を設け、貫通穴と同形状かつ同寸法のバスバーを挿入しようとした場合、貫通穴やバスバーの寸法にばらつきがあるために、必ずしも両者が確実に嵌合するとは限らない。バスバーの寸法が貫通穴の寸法より過度に大きいと、貫通穴を無理に広げながらバスバーを挿入するために、人手で組み立てるには大変になるだけでなく、磁気シールドと磁気センサから構成される磁気回路の配置が崩れ、測定誤差の原因になる。最悪の場合は、バスバーが貫通穴に挿入できないことになる。バスバーの寸法が貫通穴の寸法より小さいと、バスバーが貫通穴に固定されないので、感度が設計からずれたり、使用中に電流センサがバスバーに対して動いて電流測定結果が変動したりする等、測定誤差の原因になる。
【０００９】
また、磁気センサ直下のバスバー断面寸法の違いによっても、バスバーから発生する磁界が変化するために測定誤差が生じる。このように、バスバーが別体のコアレス型電流センサの実現は、非常に困難と考えられる。
【００１０】
本発明は、上記事情に鑑みてなされたものであり、より確実にバスバーを電流センサに固定することができて、測定誤差を抑制することが可能な電流センサを提供することを目的とする。
【課題を解決するための手段】
【００１１】
前記課題を解決するため、本発明は、少なくとも磁気センサを収納した筐体と、バスバーを備える電流センサであって、前記筐体は、前記バスバーが挿入された貫通穴を有し、前記貫通穴は、前記磁気センサの非感磁方向に沿って前記筐体を貫通し、貫通方向の両端にそれぞれ開口部を有し、前記バスバーは、その長手方向に沿って前記貫通穴に挿入されて、前記長手方向の両端部が前記貫通穴の外に露出して設けられ、前記バスバーは前記筐体から取り外し可能であり、前記貫通穴に挿入された前記バスバーに対する平面視で、前記バスバーは、前記長手方向の両端部の間に、第１の側部及び第２の側部を有し、前記バスバーの前記第１の側部から前記第２の側部までの区間に対応する幅の範囲内に、前記磁気センサが配置され、前記平面視において、前記貫通穴は、前記開口部２つの幅が互いに異なり、前記バスバーは、前記貫通穴の内部に挿入された部分において、前記第１の側部から前記第２の側部までの区間に対応する幅が、前記開口部２つの小さい方の幅よりも大きい部分を有し、少なくとも前記貫通穴の前記開口部両方における幅と、前記開口部両方に対応する前記バスバーの幅とは同一であることを特徴とする電流センサを提供する。
【００１２】
前記平面視において、前記貫通穴の幅及び前記バスバーの幅は、少なくとも前記磁気センサを含む区間において一定であることが好ましい。
前記貫通穴に挿入された前記バスバーは、前記平面視において前記磁気センサの中心を通り前記非感磁方向に沿う直線に対して、対称な形状を有することが好ましい。
【発明の効果】
【００１３】
本発明によれば、貫通穴に挿入されたバスバーは、開口部２つの小さい方の幅よりも幅の大きい部分が貫通穴の内部に嵌合し、貫通穴の開口部両方における幅と、開口部両方に対応するバスバーの幅とが同一であることにより、より確実にバスバーを電流センサに固定することができる。これにより、測定誤差を抑制することが可能になる。
【図面の簡単な説明】
【００１４】
【図１】（ａ）筐体、及び（ｂ）電流センサの外観の一例を示す斜視図である。
【図２】第１実施形態におけるバスバーの（ａ）挿入前、及び（ｂ）挿入後の状態を示す断面図である。
【図３】第２実施形態におけるバスバーの（ａ）挿入前、及び（ｂ）挿入後の状態を示す断面図である。
【図４】（ａ）は筐体の外観の一例を示す斜視図、（ｂ）は（ａ）の平面Ｓ１上で貫通穴に対するバスバーの挿入状態を示す断面図、（ｃ）は（ａ）の平面Ｓ２上でバスバーに対する磁気シールド及び磁気センサの配置を示す断面図である。
【図５】（ａ）及び（ｂ）は、内部に幅が一定の区間を有する貫通穴を例示する断面図である。
【図６】（ａ）及び（ｂ）は、中間部に幅が変化する区間を有するバスバーを例示する平面図である。
【図７】実施例及び比較例において感度誤差を測定した結果を示すグラフである。
【発明を実施するための形態】
【００１５】
以下、好適な実施形態に基づき、図面を参照して本発明を説明する。
図１（ａ）に、電流センサの筐体の一例を示し、図１（ｂ）に、電流センサの一例を示す。電流センサ１０は、筐体１１の貫通穴１２にバスバー１３が挿入された構造を有する。筐体１１には、少なくとも磁気センサ（図４参照）が収納されている。筐体１１は、例えば樹脂等の非磁性材料から形成されている。筐体１１は、バスバー１３を挿入できる貫通穴１２を有する。図１において、バスバー１３が配置される平面１４上の断面を、図２及び図３に示す。図２及び図３において、図の左右が幅方向であり、上下が長手方向である。
【００１６】
図２のバスバー１３Ａ及び図３のバスバー１３Ｂは、平面視において、幅が連続的に直線状（線形的）に変化する台形状である。バスバー１３Ａ，１３Ｂは、その長手方向に沿って貫通穴１２Ａ，１２Ｂに挿入されて、長手方向の両端部１３ａ，１３ｂが貫通穴１２Ａ，１２Ｂの外に露出して設けられる（図２（ｂ）及び図３（ｂ）参照）。バスバー１３Ａ，１３Ｂは、筐体１１から取り外し可能である。バスバー１３Ａ，１３Ｂの両端部１３ａ，１３ｂは、電流が流れる測定対象物（バスバー、ケーブル等）に接続可能である。図示例では、バスバーの両端部と測定対象物との接続部は、筐体の外部に露出されている。なお、筐体は、貫通穴から離れた箇所で、接続部を保護するため、接続部を覆う構造（突出部、張り出し部等）を有してもよい。
【００１７】
バスバー１３Ａ，１３Ｂは、長手方向の両端部１３ａ，１３ｂの間に、第１の側部１３ｃ及び第２の側部１３ｄを有する。バスバー１３Ａの幅方向の両側部１３ｃ，１３ｄは、図２（ａ）に上向きの矢印で示される挿入方向に対して、いずれも傾斜している。バスバー１３Ｂでは、一方の側部１３ｃが挿入方向と平行であり、他方の側部１３ｄが挿入方向に対して、傾斜している。バスバー１３Ｂの一方の側部１３ｃが両端部１３ａ，１３ｂと直角である場合、製作が容易になる。なお、図３では、左側の側部１３ｃが挿入方向と平行で、右側の側部１３ｄが挿入方向に対し傾斜している例を示すが、両者の関係を逆にして、右側の側部を挿入方向と平行にし、左側の側部を挿入方向に対し傾斜させてもよいのはいうまでもない。図示例のバスバー１３Ａ，１３Ｂは、少なくとも貫通穴１２Ａ，１２Ｂに挿入される範囲において、穴や切欠等のない、均質な平板状である。
【００１８】
図２の貫通穴１２Ａ及び図３の貫通穴１２Ｂは、それぞれ平面形状がバスバー１３Ａ，１３Ｂと一致するように設計されている。つまり、バスバー１３Ａ，１３Ｂの一方の側部１３ｃが貫通穴１２Ａ，１２Ｂの一方の側壁１２ｃと一致する（互いの方向が平行になる）と共に、他方の側部１３ｄが他方の側壁１２ｄと一致する（互いの方向が平行になる）ように構成されている。このようなバスバー１３Ａ，１３Ｂを貫通穴１２Ａ，１２Ｂに挿入して電流センサ１０を組み立てると、バスバー１３Ａ，１３Ｂの幅や貫通穴１２Ａ，１２Ｂの幅が、設計中心からずれても、バスバー１３Ａ，１３Ｂの側部１３ｃ，１３ｄが貫通穴１２Ａ，１２Ｂの側壁１２ｃ，１２ｄに突き当たる位置までバスバー１３Ａ，１３Ｂを挿入すれば（図４（ｂ）を参照）、貫通穴１２Ａ，１２Ｂに無理な力を与えたり、バスバー１３Ａ，１３Ｂががたついたりすることなく、バスバー１３Ａ，１３Ｂの位置を決めることができる。本実施形態によれば、貫通穴１２Ａ，１２Ｂを無理に広げながらバスバー１３Ａ，１３Ｂを挿入することがなくなるため、より容易に人手で組み立てることができるようになる。また、磁気シールド１６，１７と磁気センサ１５から構成される磁気回路の配置が崩れることを抑制することができるようになるため、測定誤差を抑制することが可能になる。また、より確実にバスバー１３Ａ，１３Ｂを貫通穴１２Ａ，１２Ｂに挿入することができる。
【００１９】
図４（ａ）は、図２の筐体１１Ａの外観に平面Ｓ１及びＳ２の位置を示した説明図である。図４（ｂ）は、図４（ａ）の平面Ｓ１上で貫通穴１２Ａに対するバスバー１３Ａの挿入状態を示す断面図である。図４（ｃ）は、図４（ａ）の平面Ｓ２上でバスバー１３Ａに対する磁気センサ１５及び磁気シールド１６，１７の配置を示す断面図である。
図２に示す第１実施形態では、挿入方向に対してバスバー１３Ａの側部１３ｃ，１３ｄの両方が傾斜して（テーパを有して）いて、両側部１３ｃ，１３ｄが貫通穴１２Ａの側壁１２ｃ，１２ｄに突き当たることができる。図４（ｂ）には図示しないが、図３に示す第２実施形態でも同様であるので、重複する説明は省略する。ただし、図３では、バスバー１３Ｂの片方の側部１３ｄが傾斜して（テーパを有して）いて、当該側部１３ｄが貫通穴１２Ｂの側壁１２ｄに突き当たることができる。
【００２０】
磁気センサ１５は、バスバーに平行な面に沿って、磁界の感度が高い（最大の）方向（感磁方向）と、磁界の感度が低い（最小の）方向（非感磁方向）を有する。磁界の感度が０となる方向が一定の範囲（０°より大きい角度）に分布する場合、感度が最小の方向は一意に定まらないことから、感磁方向に垂直な方向として非感磁方向を定めてもよい。感磁方向は、バスバーに流れる電流により発生する磁界の方向に沿うべきものであることから、図４（ｂ）の平面視では、バスバー１３Ａの幅方向が感磁方向で、バスバー１３Ａの長手方向が非感磁方向とされている。貫通穴１２Ａは、磁気センサ１５の非感磁方向に沿って筐体１１Ａを貫通し、貫通方向の両端にそれぞれ開口部１２ａ，１２ｂを有する。磁気センサ１５は、貫通穴１２Ａに挿入されたバスバー１３Ａに対する平面視で、バスバー１３Ａの幅の範囲内に配置される。ここで、バスバー１３Ａ，１３Ｂは、第１の側部１３ｃから第２の側部１３ｄまでの幅の範囲内で、穴等の欠落はなく、平面視において、磁気センサ１５は、バスバー１３Ａ，１３Ｂの上または下に重なるように配置される。
【００２１】
平面視において、貫通穴の２つの開口部１２ａ，１２ｂは、幅が互いに異なる。図２〜図４に示す例では、幅が大きい側の開口部１２ａは、バスバーを挿入する際に入口となり、幅が小さい側の開口部１２ｂは、バスバーを挿入する際に出口となる。貫通穴１２Ａ，１２Ｂの幅は、幅が広い開口部１２ａから幅が狭い開口部１２ｂに向けて、徐々に小さくなっている。バスバー１３Ａ，１３Ｂは、貫通穴１２Ａ，１２Ｂの内部に挿入された部分において、幅が小さい方の開口部１２ｂの幅よりも、幅が大きい部分を有することで、貫通穴１２Ａ，１２Ｂの側壁１２ｃ，１２ｄに突き当たって位置決めすることが可能である。なお、バスバー１３Ａ，１３Ｂの幅とは、第１の側部１３ｃから第２の側部１３ｄまでの区間に対応する寸法である。少なくとも貫通穴１２Ａ，１２Ｂの両方の開口部１２ａ，１２ｂにおける幅と、開口部１２ａ，１２ｂ両方に対応するバスバー１３Ａ，１３Ｂの幅とが同一である（つまり、少なくとも２箇所の開口部１２ａ，１２ｂにおいて、貫通穴１２Ａ，１２Ｂの幅とバスバー１３Ａ，１３Ｂの幅とが同一である）ことにより、がたつきを防止できる。バスバーの長手方向における断面視において、図４（ｃ）では、バスバー１３Ａの外形が長方形であるが、本発明は、これに限定されるものではない。例えば、台形や逆台形等、バスバーの上面と下面における幅が異なる形状である場合、バスバーの最大の幅と開口部の幅が同一であればよい。
【００２２】
図４（ｂ）の平面視で磁気センサ１５の直下（または直上）のバスバー１３Ａの幅Ｗｏは、バスバー１３Ａの幅寸法がばらついても、貫通穴１２Ａの幅により決まるので、バスバー１３Ａの挿入位置によらず、一定である。このように、磁気センサ１５の位置におけるバスバー１３Ａの幅Ｗｏが常に一定で、かつ、貫通穴１２Ａに対してバスバー１３Ａのがたつきがないので、測定誤差を低減することができる。電流センサの感度ずれが、±０．１％以内に収まる程度に、貫通穴１２Ａ，１２Ｂの幅及びバスバー１３Ａ，１３Ｂの幅の変動が小さいことが好ましい。ここで、感度ずれの基準値としては、電流センサの設計及び製造工程において設定される、電流センサの感度の値が挙げられる。
【００２３】
図４（ｂ）において、左側の図は、バスバー幅が設計中心に等しい場合を示し、中央の図は、バスバー幅が設計中心より大きい場合を示し、右側の図は、バスバー幅が設計中心より小さい場合を示す。バスバー幅が設計中心より大きい場合、バスバーは設計中心に等しい場合に比べ、より奥まで挿入される。バスバー幅が設計中心より小さい場合、バスバーは設計中心に等しい場合に比べ、手前側で突き当たって止まる。
【００２４】
しかし、貫通穴の寸法が設計中心からずれていると、磁気センサ１５の位置におけるバスバーの幅Ｗｏも設計中心からずれることになり、磁気センサ１５に印加する磁界が変化して感度がずれてしまう。貫通穴は、電流センサの筐体において、磁気センサ及び磁気磁シールドとともに形成されることから、貫通穴、磁気センサ及び磁気磁シールドを有する筐体を組み立てた後で、電流センサの感度を補正してもよい。
【００２５】
貫通穴に挿入されたバスバーは、平面視において磁気センサ１５の中心を通り、非感磁方向に沿う直線Ｌｏに対して、対称な形状（すなわち、線対称）であることが好ましい。なお、図５（ｂ）では、上下に延びる直線Ｌｏに対して、バスバーが左右対称な形状である。これにより、バスバーから発生する磁界が磁気センサの周囲で対称性を有することとなり、非対称性に起因する感度の低下を抑制することができる。
【００２６】
感度補正方法の一例として、磁気センサ回路の補正が挙げられる。まず、貫通穴にバスバーを挿入して、所定の電流を流し、電流センサの感度（電流に対する感度）を測定し、感度の設計値と比較することにより、感度のずれを求めることができる。感度にずれがあった場合、磁気センサ回路の補正により、磁気センサの感度（磁界に対する感度）を電流センサの感度に変換する係数等を修正することで、電流センサの感度を設計に合わせて補正することができる。補正係数は、電流センサの感度のずれの程度（差分、比率等）に応じて求めることができる。このような電流センサは、磁気センサに補正係数を入力して回路に書き込むことが可能な入力デバイス及び記録領域を有することが好ましい。
【００２７】
感度補正の際に使用するバスバーは、電流センサの実使用時に用いるバスバー自体である必要はなく、同様の形状及び寸法を有する感度補正用バスバーを用意してもよい。感度補正用バスバーは、ある電流センサの感度を補正した後に貫通穴から抜き取って、別の電流センサの感度補正に再利用することができる。実使用時のバスバーと同じ寸法の感度補正用バスバーを用いて感度補正を行うことにより、貫通穴の寸法ばらつきによる電流センサの感度のばらつきを抑制することができる。
【００２８】
バスバーの厚みは、均一である方が、加工が容易であるため、好ましい。バスバーの表面は、スズ、亜鉛等、非磁性材料を有することが好ましい。また、バスバーのうち、電流センサの筐体（貫通穴）の内部に設置される領域のみを非磁性材料とすることでもよい。
磁気シールドの構成は特に限定されないが、図４（ｃ）に示すように、２枚の板状のシールド体であってもよい。この場合、２枚の磁気シールド１６，１７の間にバスバー１３と磁気センサ１５が配置される。
【００２９】
図２及び図３に示すバスバー１３Ａ，１３Ｂの場合、その幅は、長手方向の全長にわたり、一方の端部１３ａから他方の端部１３ｂまで連続的に、かつ線形的に変化している。同様に、貫通穴１２Ａ，１２Ｂの幅も、一方の開口部１２ａから他方の開口部１２ｂまで連続的に、かつ線形的に変化している。本発明は、これらに限定されるものではなく、幅が変化する箇所を長手方向の一部の区間だけにしたり、幅の変化する態様を変更することが可能である。
【００３０】
図５の（ａ）及び（ｂ）には、貫通穴１２Ｃ，１２Ｄが一部の区間２１，２３で、幅を線形的に変化させた筐体１１Ｃ，１１Ｄの例を示す。図５に示す例では、開口部１２ａ，１２ｂ付近で幅を線形的に変化させ、テーパを有するバスバー（図示せず）の突き当たりを可能にし、中間の区間２２で貫通穴１２Ｃ，１２Ｄの幅を一定にしている。バスバーの平面形状は、貫通穴１２Ｃ，１２Ｄと同様であるが、図２及び図３のバスバー１３Ａ，１３Ｂと同様に、テーパを有する部分を貫通穴１２Ｃ，１２Ｄに突き合わせることで、がたつきを防ぐことができる。図５（ａ）は、区間２１，２３における貫通穴１２Ｃの側壁が、図２の貫通穴１２Ａと同様に、幅方向の両側で傾斜して（テーパを有して）いる例である。図５（ｂ）は、区間２１，２３における貫通穴１２Ｄの側壁が、図３の貫通穴１２Ｂと同様に、幅方向の片側で傾斜して（テーパを有して）いる例である。入口側の区間２１の傾斜角と出口側の区間２３の傾斜角は、互いに等しいことが好ましい。
【００３１】
感度のずれを抑制するためには、少なくとも磁気センサ（図４の磁気センサ１５参照）が配置された箇所において、バスバーの幅が一定であることが好ましい。貫通穴１２Ｃ，１２Ｄの幅が一定の区間２２では、バスバーを突き合わせる必要がないので、この区間２２における貫通穴の幅は、バスバーの幅より大きくても構わない。平面視で、貫通穴の幅が一定の区間２２に磁気センサが配置され、区間２２の長さが、磁気センサの長さ（バスバー長手方向に沿う寸法）より十分に長く、かつ、この区間２２の全体でバスバーの幅が一定である場合、磁気センサの設計上の位置に対して、バスバーの長手方向にずれがあっても、磁気センサの位置におけるバスバーの幅が一定になるので、感度のずれを抑制することができる。
【００３２】
図５では、中間の区間２２における貫通穴１２Ｃ，１２Ｄの幅を一定にしているが、特にこれに限定されず、バスバーの幅より広ければ、別の形状でもよい。中間の区間２２で貫通穴の幅が一定の直線状であるほうが、バスバーを挿入する際に円滑な挿入が可能になるので、好ましい。
【００３３】
図６の（ａ）及び（ｂ）は、バスバー１３Ｅ，１３Ｆの一部の区間３１，３２で幅を線形的に変化させた例を示す。区間３１，３２は、電流センサの組み立て後に、バスバー１３Ｅ，１３Ｆが筐体の貫通穴（図示せず）内に収容される区間を含む。図２及び図３のバスバー１３Ａ，１３Ｂと同様に、バスバー１３Ｅ，１３Ｆがテーパを有する区間３１，３２を貫通穴に突き合わせることで、がたつきを防ぐことができる。バスバー１３Ｅ，１３Ｆが挿入される貫通穴の形状は、図２及び図３に示す貫通穴１２Ａ，１２Ｂと同様でもよい。図５（ａ）は、図２のバスバー１３Ａと同様に、バスバー１３Ｅの側部１３ｃ，１３ｄの両方が傾斜して（テーパを有して）いる例である。図５（ｂ）は、図３のバスバー１３Ｂと同様に、バスバー１３Ｆの側部１３ｃ，１３ｄの片方が傾斜して（テーパを有して）いる例である。
【００３４】
バスバーのうち、電流センサの組み立て後に貫通穴内に収容されない区間では、形状は任意である。バスバーの幅を変化させなくてもよく、あるいは貫通穴内に収容される区間とは逆向きに幅が変化してもよい。バスバーは、貫通穴に挿入する際に、貫通穴の内部に挿入されない端部１３ａと、貫通穴の内部を通過し、その後外に出てくる端部１３ｂとを有する。
【００３５】
貫通穴の内部を通過する端部１３ｂは、筐体の貫通穴の出口側（幅が狭い側）に配置され、バスバーの幅が貫通穴の最小幅以下である。貫通穴の内部に挿入されない端部１３ａは、筐体の貫通穴の入口側（幅が広い側）に配置される。入口側の端部１３ａにおいて、バスバーの幅は特に限定されず、貫通穴の入口幅より小さくてもよく、大きくてもよく、入口幅に等しくてもよい。図６に示す例では、バスバー１３Ｅ，１３Ｆの両端部１３ａ，１３ｂの幅を互いに同等とすることで、電流センサの使用時にバスバーを外部の通電体（バスバー、ケーブル等）と接続するための接続構造を同一とすることができる。接続構造は、特に限定されないが、図示例では、バスバー端部付近の穴に螺子等の接続部材を取り付けることができる。
【００３６】
以上の各実施形態の電流センサによれば、バスバー及び貫通穴の幅がテーパ状に変化する部分を有するため、貫通穴にバスバーをがたつきなく挿入でき、測定誤差を抑制することができる。貫通穴にバスバーを挿入すると、密着により嵌合して、バスバーを電流センサに固定することができる。
【００３７】
バスバーが、磁気シールド及び磁気センサを収納した筐体と別体に構成されているため、測定対象のバスバーを切り離す必要がない。測定対象のバスバーの一部を筐体の貫通穴に挿入して使用することもできる。電流センサのバスバーを測定対象のバスバーと接続する場合も、バスバー間の接続部が磁気センサから遠ざけることにより、接続部に発熱があっても測定精度の低下を抑制することができる。
【００３８】
磁気シールド及び磁気センサを収納した筐体は、バスバーを抜いた状態では非常に軽量になる。これにより、輸送コストの低減や、落下時の破損抑制が可能になる。磁気シールド及び磁気センサを収納した筐体は、バスバーを抜いた状態で、製品として製造販売することも可能である。前記電流センサは、磁気シールド及び磁気センサを収納した筐体とバスバーとが互いに分離したキットとして供給することもできる。
【００３９】
以上、本発明を好適な実施形態に基づいて説明してきたが、本発明は上述の実施形態に限定されるものではなく、本発明の要旨を逸脱しない範囲で種々の改変が可能である。
バスバーの材質は、導電性を有すればよく、金属でも非金属でもよい。
筐体の材質は、非磁性及び電気絶縁性であることが好ましく、例えば樹脂が挙げられる。筐体の内部で磁気シールド及び磁気センサを収納する構造は特に限定されない。筐体は、一部品として成形されてもよく、複数の部品から組み立てられてもよい。
磁気センサとしては、磁界の大きさを電圧値等の電気信号に変換できる素子であればよく、特に限定されない。磁気センサの具体例としては、ホール素子、フラックスゲート素子、磁気抵抗効果（ＭＲ）素子、磁気インピーダンス（ＭＩ）素子等が挙げられる。
【実施例】
【００４０】
実施例１〜３として、図２に示すように、バスバーが挿入される貫通穴が平面視で台形状である電流センサを作製した。実施例１〜３の貫通穴１２Ａの寸法は、入口となる開口部１２ａの幅が２１．０ｍｍ、出口となる開口部１２ｂの幅が１９．０ｍｍ、開口部１２ａから開口部１２ｂまでの貫通穴１２Ａの長さが２５ｍｍ、開口部１２ａ，１２ｂを含む面における筐体１１の幅が３０ｍｍである。バスバー１３Ａの厚みは２．０ｍｍとした。バスバー１３Ａの厚みに対応する貫通穴の寸法（高さ）は、２．０５ｍｍとした。バスバー１３Ａの長手方向の長さは、１００ｍｍとした。
バスバー１３Ａの幅は、実施例２において、バスバー１３Ａの中心と貫通穴１２Ａの中心が一致するように設計した。実施例１は実施例２に比べて、バスバーの幅を全体的に０．２ｍｍずつ小さくした。実施例３は実施例２に比べて、バスバーの幅を全体的に０．２ｍｍずつ大きくした。
【００４１】
具体的なバスバー１３Ａの幅は、次のとおりである。
実施例１では、細い端部１３ｂの幅が１５．８ｍｍ、長手方向の中心での幅が１９．８ｍｍ、太い端部１３ａの幅が２３．８ｍｍである。
実施例２では、細い端部１３ｂの幅が１６．０ｍｍ、長手方向の中心での幅が２０．０ｍｍ、太い端部１３ａの幅が２４．０ｍｍである。
実施例３では、細い端部１３ｂの幅が１６．２ｍｍ、長手方向の中心での幅が２０．２ｍｍ、太い端部１３ａの幅が２４．２ｍｍである。
【００４２】
比較例１〜３として、バスバーが挿入される貫通穴が平面視で長方形である電流センサを作製した。比較例１〜３の貫通穴の寸法は、幅が２０．３ｍｍで一定とし、長さは２５ｍｍとした。貫通穴の開口部を含む面における筐体の幅は３０ｍｍ、バスバーの厚みは２．０ｍｍ、バスバーの厚みに対応する貫通穴の寸法（高さ）は２．０５ｍｍ、バスバーの長さは１００ｍｍとした。バスバーの幅は全長にわたり一定で、比較例１では１９．８ｍｍ、比較例２では２０．０ｍｍ、比較例３では２０．２ｍｍとした。つまり、実施例１〜３及び比較例１〜３の６つの例を通じて、貫通穴の幅及びバスバーの幅以外の条件は、同一とした。
【００４３】
実施例１〜３の電流センサは、実施例２のバスバーを感度補正用バスバーとして用いて、筐体に収納された磁気センサの感度を補正した後、上記のとおり幅寸法が異なるバスバーを筐体の貫通穴に挿入して、製作した。つまり、実施例１〜３の間では、バスバーの幅以外の条件を同一にした。
比較例１〜３の電流センサでは、比較例２のバスバーを感度補正用バスバーとして用いて、筐体に収納された磁気センサの感度を補正した後、上記のとおり幅寸法が異なるバスバーを筐体の貫通穴に挿入して、製作した。つまり、比較例１〜３の間では、バスバーの幅以外の条件を同一にした。
実施例１〜３及び比較例１〜３の電流センサの感度誤差を測定した結果を図７に示す。感度誤差（感度ずれ）は、測定値が設計上の基準値（感度補正後）の感度に等しい場合を０．０％として算出される、基準値との差である。バーは繰り返し誤差（ばらつき）の範囲を示し、バーの中心の黒点は感度誤差の平均値を示す。
【００４４】
比較例１〜３では、バスバーの幅が狭いほど感度が高くなり、かつ繰り返し誤差は大きくなった。バスバーの幅が狭いときに感度が高くなったのは、電流密度が増加することにより、電流により発生する磁界が増加したためである。バスバーの幅が狭いときに繰り返し誤差が増加したのは、貫通穴の中でバスバーの位置が不安定になり、バスバーの幅が狭いほど、各種寸法公差に対する誤差の割合が大きくなるためである。これに対して、実施例１〜３では、バスバーの幅が変化しても、感度誤差がいずれも０．１％以下と小さかった。以上の結果から、実施例１〜３によれば、バスバーの幅に製造誤差があっても、貫通穴にバスバーをがたつきなく挿入する上、感度誤差を抑制することが可能であることが分かる。また、比較例２でも感度誤差の平均値は小さいとはいえ、繰り返し誤差は大きくなった。これに対して、実施例１〜３では、繰り返し誤差も０．１％以下に小さくなっている。
【産業上の利用可能性】
【００４５】
本発明は、例えば、自動車のバッテリモニタ、ビルや工場などの配電盤、インバータ制御、モータ制御などで、バスバーに流れる電流を測定する電流センサに利用することができる。
【符号の説明】
【００４６】
１０…電流センサ、１１，１１Ａ，１１Ｂ，１１Ｃ，１１Ｄ…筐体、１２，１２Ａ，１２Ｂ，１２Ｃ，１２Ｄ…貫通穴、１２ａ，１２ｂ…開口部、１３，１３Ａ，１３Ｂ，１３Ｅ，１３Ｆ…バスバー、１４…バスバーが配置される平面、１５…磁気センサ、１６，１７…磁気シールド。
【図１】
2016148621.tif 000003
【図２】
2016148621.tif 000004
【図３】
2016148621.tif 000005
【図４】
2016148621.tif 000006
【図５】
2016148621.tif 000007
【図６】
2016148621.tif 000008
【図７】
2016148621.tif 000009